(57)【要約】【課題】定着具に設けられたロッドを簡易に支持する。【解決手段】第１固定具２１０は、第１開口２０２を有している。第１開口２０２は、ロッドを通すためのものである。第２固定具２２０は、第２開口２０４を有している。第２開口２０４は、ロッドを通すためのものである。第２固定具２２０は、一方向に並んでいる。第２固定具２２０は、第１開口２０２及び第２開口２０４が互いに重なる第１位置及び第１開口２０２及び第２開口２０４が互いにずれる第２位置の間で、方向Ｄ１（上述した一方向に交わる方向）に沿って回転可能になっている。【選択図】図４
2020153144.tif 000002
【特許請求の範囲】
【請求項１】
定着具に設けられたロッドを支持するための支持器具であって、
前記ロッドを通すための第１開口を有する第１固定具と、
前記ロッドを通すための第２開口を有し、一方向に前記第１固定具と並ぶ第２固定具と、
を備え、
前記第２固定具は、前記第１開口及び前記第２開口が互いに重なる第１位置及び前記第１開口及び前記第２開口が互いにずれる第２位置の間で、前記一方向に交わる方向に沿って回転可能になっている、支持器具。
【請求項２】
請求項１に記載の支持器具において、
前記一方向に交わる方向に前記第２固定具が回転するように、前記第２固定具を押す少なくとも一の押し部材をさらに備える支持器具。
【請求項３】
請求項２に記載の支持器具において、
前記少なくとも一の押し部材は、第１押し部材と、前記第１押し部材とは異なる方向から前記第２固定具を押す第２押し部材と、を含む、支持器具。
【請求項４】
請求項３に記載の支持器具において、
前記第２押し部材は、前記第１押し部材とは逆方向から前記第２固定具を押す、支持器具。
【請求項５】
請求項１に記載の支持器具において、
前記一方向に交わる方向に前記第２固定具が回転するように、前記第２固定具を加圧する加圧器をさらに備える支持器具。
【請求項６】
請求項５に記載の支持器具において、
前記加圧器は、油圧発生器を含む、支持器具。
【請求項７】
請求項１から６までのいずれか一項に記載の支持器具において、
前記一方向に沿って前記第１固定具及び前記第２固定具の前方に位置する基材と、
前記一方向に沿って前記第１固定具及び前記第２固定具の前方に向けて前記基材を押す押し部材と、
をさらに備える支持器具。
【請求項８】
請求項７に記載の支持器具において、
前記第１固定具及び前記第２固定具のそれぞれの少なくとも一部分を収容する収容部材をさらに備え、
前記押し部材は、前記収容部材を前記一方向に貫通して配置されている、支持器具。
【請求項９】
請求項１から８までのいずれか一項に記載の支持器具において、
前記定着具には、前記ロッドを含む複数のロッドが設けられており、
前記第１固定具は、前記第１開口を含み、前記複数のロッドのそれぞれを通すための複数の第１開口を有し、
前記第２固定具は、前記第２開口を含み、前記複数のロッドのそれぞれを通すための複数の第２開口を有し、
前記第１位置において、前記第２固定具の前記複数の第２開口のそれぞれは、前記第１固定具の前記複数の第１開口のそれぞれと重なり、
前記第２位置において、前記第２固定具の前記複数の第２開口のそれぞれは、前記第１固定具の前記複数の第１開口のそれぞれからずれる、支持器具。
【請求項１０】
定着具に設けられたロッドを支持する方法であって、
第１開口を有する第１固定具及び第２開口を有する第２固定具を一方向に並べて、前記第１固定具の前記第１開口及び前記第２固定具の前記第２開口に前記ロッドを通すことと、
前記第１開口及び前記第２開口に前記ロッドを通した後、前記第２固定具を、前記第１開口及び前記第２開口が互いに重なる第１位置から前記第１開口及び前記第２開口が互いにずれる第２位置にかけて、前記一方向に交わる方向に沿って回転させることと、
を含む方法。
【発明の詳細な説明】
【技術分野】
【０００１】
本発明は、支持器具及びロッドを支持する方法に関する。
【背景技術】
【０００２】
ロッドを対象物に定着させるための定着具が開発されている。特許文献１には、定着具の一例について記載されている。定着具は、ソケット及びウェッジを有している。ソケットは、内壁面を有している。ロッドは、ソケットの内壁面によって囲まれた領域を通過している。ソケットの内壁面は、ソケットの前方に行くほど直径が小さくなるように形成された円錐面をなしている。ウェッジは、ロッドの外周面とソケットの内壁面の間に位置している。ウェッジがソケットの前方に向けて移動することで、ウェッジがロッドの外周面とソケットの内壁面の間に強固に食い込む。これらの作用でロッドへの強い引張力に対し、耐えることが出来る。
【先行技術文献】
【特許文献】
【０００３】
【特許文献１】特開２０１６−３５１１号公報
【発明の概要】
【発明が解決しようとする課題】
【０００４】
本発明者は、定着具に設けられたロッドを簡易に支持することを検討した。例えば特許文献１に記載された定着具にロッドを固定するためには、ウェッジをソケットの前方に向けて押し込む必要がある。この場合、ウェッジをソケットの前方に向けて押し込む間、ロッドがソケットに対して動かないようにロッドを支持する必要がある。
【０００５】
本発明の目的の一例は、定着具に設けられたロッドを簡易に支持することにある。本発明の他の目的は、本明細書の記載から明らかになるであろう。
【課題を解決するための手段】
【０００６】
本発明の一態様は、
定着具に設けられたロッドを支持するための支持器具であって、
前記ロッドを通すための第１開口を有する第１固定具と、
前記ロッドを通すための第２開口を有し、一方向に前記第１固定具と並ぶ第２固定具と、
を備え、
前記第２固定具は、前記第１開口及び前記第２開口が互いに重なる第１位置及び前記第１開口及び前記第２開口が互いにずれる第２位置の間で、前記一方向に交わる方向に沿って回転可能になっている、支持器具である
【０００７】
本発明の他の態様は、
定着具に設けられたロッドを支持する方法であって、
第１開口を有する第１固定具及び第２開口を有する第２固定具を一方向に並べて、前記第１固定具の前記第１開口及び前記第２固定具の前記第２開口に前記ロッドを通すことと、
前記第１開口及び前記第２開口に前記ロッドを通した後、前記第２固定具を、前記第１開口及び前記第２開口が互いに重なる第１位置から前記第１開口及び前記第２開口が互いにずれる第２位置にかけて、前記一方向に交わる方向に沿って回転させることと、
を含む方法である。
【発明の効果】
【０００８】
本発明の上述した一態様によれば、定着具に設けられたロッドを簡易に支持することができる。
【図面の簡単な説明】
【０００９】
【図１】実施形態に係る支持器具を示す図である。
【図２】図１に示した支持器具の分解図である。
【図３】第１位置における第１固定具及び第２固定具を示す図である。
【図４】第２位置における第１固定具及び第２固定具を示す図である。
【図５】定着具に設けられたロッドを支持する方法の一例を説明するための図である。
【図６】図４の変形例を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る支持器具２０を示す図である。図２は、図１に示した支持器具２０の分解図である。図３は、第１位置における第１固定具２１０及び第２固定具２２０を示す図である。図４は、第２位置における第１固定具２１０及び第２固定具２２０を示す図である。
【００１２】
図３及び図４を用いて、支持器具２０の概要を説明する。支持器具２０は、第１固定具２１０及び第２固定具２２０を備えている。第１固定具２１０は、第１開口２０２を有している。第１開口２０２は、ロッドを通すためのものである。第２固定具２２０は、第２開口２０４を有している。第２開口２０４は、ロッドを通すためのものである。第２固定具２２０は、一方向（図１及び図２における前後方向）に並んでいる。第２固定具２２０は、第１開口２０２及び第２開口２０４が互いに重なる第１位置（図３）及び第１開口２０２及び第２開口２０４が互いにずれる第２位置（図４）の間で、方向Ｄ１（上述した一方向に交わる方向）に沿って回転可能になっている。
【００１３】
上述した構成によれば、定着具に設けられたロッドを簡易に支持することができる。上述した構成によれば、第１位置（図３）において、第１固定具２１０の第１開口２０２及び第２固定具２２０の第２開口２０４は互いに重なっており、第１固定具２１０の第１開口２０２及び第２固定具２２０の第２開口２０４にロッドを通すことができる。その後、第２固定具２２０を第１位置（図３）から第２位置（図４）にかけて回転させると、第１固定具２１０の第１開口２０２及び第２固定具２２０の第２開口２０４の重なり合い部分の面積を小さくすることができ、第１固定具２１０及び第２固定具２２０によってロッドを締め付けることができる。このようにして、定着具に設けられたロッドを簡易に支持することができる。
【００１４】
図１及び図２を用いて、支持器具２０の詳細を説明する。
【００１５】
支持器具２０は、第１固定具２１０、第２固定具２２０、収容部材２３０及び基材２４０を備えている。
【００１６】
基材２４０及び収容部材２３０は、支持器具２０の前方から後方に向けて順に並んでいる。定着具（例えば、後述する図５に示す定着具１０）は、支持器具２０の前方（基材２４０の前方）に位置させることができる。
【００１７】
図１及び図２に示す例において、第１固定具２１０は、第２固定具２２０の前方にある。他の例において、第２固定具２２０は、第１固定具２１０の前方にあってもよい。第２固定具２２０が第１固定具２１０の前方にあっても、第２固定具２２０を回転させることで、定着具に設けられたロッドを簡易に支持することができる。
【００１８】
収容部材２３０は、第１固定具２１０及び第２固定具２２０のそれぞれの少なくとも一部分を収容する。収容部材２３０は、空間２３２を有している。第１固定具２１０及び第２固定具２２０は、収容部材２３０の空間２３２内に収容可能になっている。
【００１９】
第１固定具２１０は、凸部２１４を有しており、収容部材２３０は、凹部２３４を有している。第１固定具２１０は、凸部２１４が収容部材２３０の凹部２３４内に入り込むように、収容部材２３０の空間２３２内に収容することができる。
【００２０】
収容部材２３０は、開口２５２を有している。開口２５２は、上述した一方向（図１及び図２における前後方向）に交わる方向に延びている。収容部材２３０の開口２５２内には、押し部材２５０を入り込ませることができる。押し部材２５０は、押し部材２５０の先端が第２固定具２２０の面２２２を押すように、押し部材２５０は開口２５２内に入り込ませることができる。
【００２１】
押し部材２５０は、例えば、開口２５２内にねじ込み可能な部材にしてもよい。例えば、押し部材２５０は、ボルト、より具体的には穴付きボルトにしてもよい。押し部材２５０（穴付きボルト）は、開口２５２内にねじ込み可能にしてもよい。
【００２２】
基材２４０は、第１固定具２１０及び第２固定具２２０が収容部材２３０の空間２３２内に収容された状態で、収容部材２３０に支持器具２０の前後方向に可動に取り付けられている。基材２４０は、取り付け具２６０によって、収容部材２３０に可動に取り付け可能になっている。取り付け具２６０は、ネジ２６０ａ、ナット２６０ｂ及び弾性体２６０ｃを含んでいる。ネジ２６０ａは、基材２４０の前方から、基材２４０の開口２６２、第１固定具２１０の凸部２１４の開口２６４及び収容部材２３０の開口２６６を順に貫通して位置させることができる。ナット２６０ｂは、弾性体２６０ｃが収容部材２３０及びナット２６０ｂの間に位置するように、収容部材２３０の後方からネジ２６０ａに取り付け可能になっている。弾性体２６０ｃの変形によって、基材２４０は、支持器具２０の前後方向に移動することができる。
【００２３】
弾性体２６０ｃは、コイルスプリングにしてもよい。弾性体２６０ｃ（コイルスプリング）は、ネジ２６０ａの周囲を巻くように位置させることができる。弾性体２６０ｃは、図２に示す例に限定されるものでない。
【００２４】
支持器具２０は、複数の取り付け具２６０（例えば、図１及び図２に示すように、２つの取り付け具２６０）を備えていてもよい。取り付け具２６０の数は、図１及び図２に示す例に限定されない。
【００２５】
基材２４０は、押し部材２７０によって第１固定具２１０及び第２固定具２２０の前方に向けて移動可能になっている。押し部材２７０は、支持器具２０の前後方向に沿って第１固定具２１０及び第２固定具２２０の前方に向けて基材２４０を押す。押し部材２７０は、収容部材２３０の後方から収容部材２３０の開口２７４を貫通して配置させることができる。言い換えると、収容部材２３０は、押し部材２７０を案内するためのガイドとして機能している。基材２４０を支持器具２０の前方に向けて押すことで、定着具の締め部材（例えば、後述する図５に示す締め部材１２０）を定着具の前方に向けて押し込むことができ、ロッドを締め部材によって締め付けることができる。
【００２６】
基材２４０は、板形状、より具体的には、円板形状にしてもよい。基材２４０の形状は、図２に示す例に限定されない。
【００２７】
押し部材２７０は、例えばネジにしてもよい。押し部材２７０（ネジ）をねじ込むことで基材２４０を第１固定具２１０及び第２固定具２２０の前方に向けて押すことができる。
【００２８】
押し部材２７０の先端及び基材２４０の間には、緩衝部材２７２を配置してもよい。押し部材２７０の先端が基材２４０を直接接触すると、基材２４０が押し部材２７０の先端によって損傷するおそれがある。緩衝部材２７２によって、押し部材２７０の先端及び基材２４０の接触による基材２４０の損傷を低減することができる。緩衝部材２７２はなくてもよい。
【００２９】
支持器具２０は、複数の押し部材２７０（例えば、図１及び図２に示すように、４つの押し部材２７０）を備えていてもよい。複数の押し部材２７０は、実質的に回転対称に配置してもよい。この場合、複数の押し部材２７０によって基材２４０に与えられる力の分布のばらつきを低減することができる。押し部材２７０の数及び配置は、図２に示す例に限定されない。
【００３０】
押し部材２７０は、収容部材２３０を貫通して配置されていなくてもよい。例えば、押し部材２７０は、収容部材２３０の外側に配置されていてもよい。
【００３１】
図３及び図４を用いて、第１固定具２１０及び第２固定具２２０の詳細を説明する。
【００３２】
第１固定具２１０は、少なくとも１つの第１開口２０２を有している。図３及び図４に示す例では、第１固定具２１０は、複数の第１開口２０２（４つの第１開口２０２）を有している。複数の第１開口２０２は、実質的に回転対称に配置されている。各第１開口２０２は、円形状を有している。第１開口２０２の数、配置及び形状は、図３及び図４に示す例に限定されない。
【００３３】
第２固定具２２０は、少なくとも１つの第２開口２０４を有している。図３及び図４に示す例では、第２固定具２２０は、複数の第２開口２０４（４つの第２開口２０４）を有している。複数の第２開口２０４は、実質的に回転対称に配置されている。各第２開口２０４は、円形状を有している。第２開口２０４の数、配置及び形状は、図３及び図４に示す例に限定されない。
【００３４】
図３及び図４に示す例において、第２開口２０４の面積は、第１開口２０２の面積と実質的に等しくなっている。第２開口２０４の面積は、第１開口２０２の面積と異なっていてもよい。
【００３５】
第１位置（図３）において、複数の第２開口２０４のそれぞれは、複数の第１開口２０２のそれぞれと重なっている。
【００３６】
第２位置（図４）において、複数の第２開口２０４のそれぞれは、複数の第１開口２０２のそれぞれからずれている。各第１開口２０２及び各第２開口２０４の重なり合い部分の面積は、第２位置（図４）において、第１位置（図３）においてよりも、小さくなっている。
【００３７】
支持器具２０は、少なくとも１つの押し部材２５０を備えている。図４に示す例において、支持器具２０は、複数の押し部材２５０（２つの押し部材２５０）を備えており、複数の押し部材２５０は、第１押し部材２５０ａ及び第２押し部材２５０ｂを含んでいる。図２を用いて説明したように、押し部材２５０は、収容部材２３０の開口２５２を通じて入り込ませることができる。
【００３８】
第２固定具２２０は、少なくとも１つの面２２２を有している。図３及び図４に示す例において、第２固定具２２０は、複数の面２２２（２つの面２２２）を有しており、複数の面２２２は、第１面２２２ａ及び第２面２２２ｂを含んでいる。図３及び図４に示す例において、面２２２は、実質的に平坦になっている。
【００３９】
図４に示すように、押し部材２５０は、方向Ｄ１に第２固定具２２０が回転するように、第２固定具２２０を押す。図４に示す例では、第１押し部材２５０ａが第２固定具２２０の第１面２２２ａを押し、第２押し部材２５０ｂが第２固定具２２０の第２面２２２ｂを押している。第２押し部材２５０ｂは、第１押し部材２５０ａとは異なる方向から第２固定具２２０を押している。図４に示す例では、第２押し部材２５０ｂは、第１押し部材２５０ａとは逆方向から第２固定具２２０を押している。このようにして、押し部材２５０を方向Ｄ１に沿って回転させることができる。
【００４０】
押し部材２５０が第２固定具２２０を押す態様は、図４に示す例に限定されない。一例において、単一の押し部材２５０のみによって第２固定具２２０を押してもよい。他の一例において、３つ以上の押し部材２５０によって第２固定具２２０を押してもよい。いずれの例においても、押し部材２５０を方向Ｄ１に沿って回転させることができる。さらに他の一例において、第２押し部材２５０ｂが第２固定具２２０を押す方向は、第１押し部材２５０ａが第２固定具２２０を押す方向に対する逆方向以外の方向であってもよい。
【００４１】
図３及び図４に示す構成によれば、第２固定具２２０を回転させることで、複数のロッドをそれぞれほぼ等しい力でまとめて締め付けることができる。したがって、定着具に設けられた複数のロッドを簡易に支持することができる。
【００４２】
さらに、図３及び図４に示す構成によれば、複数のロッドを第１固定具２１０及び第２固定具２２０によって締め付けながら、基材２４０（図１及び図２）によって定着具の締め部材（例えば、後述する図５に示す締め部材１２０）を押すことができる。したがって、定着具の前後方向に複数のロッドを揃えながら、締め部材によって複数のロッドを締め付けることができる。
【００４３】
図５は、定着具１０に設けられたロッド３０を支持する方法の一例を説明するための図である。
【００４４】
まず、図５を用いて定着具１０を説明する。
【００４５】
定着具１０は、筒状部材１１０及び複数の締め部材１２０を備えている。
【００４６】
図５は、定着具１０の複数の締め部材１２０が支持器具２０の基材２４０によって筒状部材１１０の前方に向けて押し込まれる前の状態を示している。定着具１０の複数の締め部材１２０を押し込むことで、ロッド３０を複数の締め部材１２０によって締め付けることができ、ロッド３０を定着具１０に固定することができる。
【００４７】
筒状部材１１０は、内側面１１２を有している。筒状部材１１０の内側面１１２は、筒状部材１１０の内部空間を画定している。ロッド３０の軸方向（図５における定着具１０及び支持器具２０の前後方向）に垂直な断面における筒状部材１１０の内部空間の面積は、定着具１０の後方から前方に向かうにつれて減少している。
【００４８】
筒状部材１１０は、剛性材料（例えば、金属）からなっている。したがって、筒状部材１１０は容易に変形しない。
【００４９】
複数の締め部材１２０は、複数の第１締め部材１２０ａ及び第２締め部材１２０ｂを含んでいる。図５における定着具１０及び支持器具２０の前後方向から見て、複数の第１締め部材１２０ａ（例えば、４つの第１締め部材１２０ａ）は、第２締め部材１２０ｂの周囲に位置している。各第１締め部材１２０ａ及び第２締め部材１２０ｂの間には、ロッド３０が位置している。
【００５０】
図５に示すように、ロッド３０及び第１締め部材１２０ａの間及びロッド３０及び第２締め部材１２０ｂの間には、充填剤１３２が設けられていてもよい。ロッド３０は、充填剤１３２に覆われていてもよい。充填剤１３２は、接着剤として機能してもよい。この場合、充填剤１３２によってロッド３０を第１締め部材１２０ａ及び第２締め部材１２０ｂに接着させることができる。
【００５１】
第１締め部材１２０ａは、外側面１２２を有している。第１締め部材１２０ａは、外側面１２２が筒状部材１１０の内側面１１２に対向するように位置している。筒状部材１１０の内側面１１２及び第１締め部材１２０ａの外側面１２２の間には、焼き付き防止剤が設けられていてもよい。
【００５２】
締め部材１２０は、弾性材料（例えば、樹脂）からなっている。したがって、締め部材１２０は、筒状部材１１０よりも変形しやすい。
【００５３】
複数の締め部材１２０が定着具１０の前方に向けて押し込まれると、第１締め部材１２０ａは、筒状部材１１０によって締め付けられる。このようにして、第１締め部材１２０ａからロッド３０に向かう方向に力が加わり、ロッド３０は、締め部材１２０によって締め付けられる。したがって、ロッド３０を定着具１０に強固に固定することができる。
【００５４】
次に、ロッド３０を支持する方法及びロッド３０を定着具１０に固定する方法を説明する。
【００５５】
ロッド３０は、樹脂、例えば、ＦＲＰ（Ｆｉｂｅｒ−Ｒｅｉｎｆｏｒｃｅｄ  Ｐｌａｓｔｉｃｓ）からなっている。
【００５６】
まず、ロッド３０を定着具１０に設ける。具体的には、複数の締め部材１２０の間（第１締め部材１２０ａ及び第２締め部材１２０ｂの間）にロッド３０を通す。
【００５７】
次いで、第１固定具２１０及び第２固定具２２０を一方向（図５における前後方向）に並べて、第１固定具２１０の第１開口２０２及び第２固定具２２０の第２開口２０４にロッド３０を通す。
【００５８】
ロッド３０を第１固定具２１０の第１開口２０２及び第２固定具２２０の第２開口２０４に通す前にロッド３０をロッド３０の軸方向（図５における前後方向）に引っ張ってもよい。これにより、ロッド３０にプレテンションを与えることができる。ロッド３０は、様々な方法、例えば、油圧、空圧又はガス圧によって引っ張ることができる。ロッド３０を引っ張ることで、ロッド３０の撓みを抑えることができる。
【００５９】
次いで、第２固定具２２０を第１位置（図３）から第２位置（図４）にかけて、方向Ｄ１（図４）に沿って回転させる。
【００６０】
このようにして、ロッド３０を支持器具２０によって支持することができる。
【００６１】
次いで、支持器具２０の基材２４０によって定着具１０の複数の締め部材１２０を押す。複数の締め部材１２０が定着具１０の前方に向けて移動すると、ロッド３０が複数の締め部材１２０によって締め付けられる。
【００６２】
このようにして、ロッド３０を定着具１０に固定することができる。
【００６３】
ロッド３０を定着具１０に固定した後、支持器具２０は、取り外してもよい。
【００６４】
上述した方法によれば、定着具１０に設けられたロッド３０を支持器具２０によって簡易に支持することができる。
【００６５】
さらに、上述した方法によれば、支持器具２０によって定着具１０の前後方向に複数のロッド３０を揃えながら、複数の締め部材１２０によって複数のロッド３０を締め付けることができる。
【００６６】
図６は、図４の変形例を示す図である。
【００６７】
支持器具２０は、加圧器３５０を備えていてもよい。加圧器３５０は、第２固定具２２０が回転するように、第２固定具２２０を加圧することができる。図６に示す例において、加圧器３５０は、第２固定具２２０の第１面２２２ａ及び第２面２２２ｂを加圧している。
【００６８】
加圧器３５０は、第２固定具２２０を加圧するための様々な装置を含んでいてもよく、例えば、油圧発生器、空圧発生器又はガス圧発生器を含んでいてもよい。例えば、第２固定具２２０に大きな圧力を加える必要がある場合、加圧器３５０は、油圧発生器を含んでいてもよい。
【００６９】
以上、図面を参照して本発明の実施形態について述べたが、これらは本発明の例示であり、上記以外の様々な構成を採用することもできる。
【符号の説明】
【００７０】
１０  定着具
２０  支持器具
３０  ロッド
１１０  筒状部材
１１２  内側面
１２０  締め部材
１２０ａ  第１締め部材
１２０ｂ  第２締め部材
１２２  外側面
１３２  充填剤
２０２  第１開口
２０４  第２開口
２１０  第１固定具
２１４  凸部
２２０  第２固定具
２２２  面
２２２ａ  第１面
２２２ｂ  第２面
２３０  収容部材
２３２  空間
２３４  凹部
２４０  基材
２５０  押し部材
２５０ａ  第１押し部材
２５０ｂ  第２押し部材
２５２  開口
２６０  取り付け具
２６０ａ  ネジ
２６０ｂ  ナット
２６０ｃ  弾性体
２６２  開口
２６４  開口
２６６  開口
２７０  押し部材
２７２  緩衝部材
２７４  開口
３５０  加圧器
【図１】
2020153144.tif 000003
【図２】
2020153144.tif 000004
【図３】
2020153144.tif 000005
【図４】
2020153144.tif 000006
【図５】
2020153144.tif 000007
【図６】
2020153144.tif 000008